(57)【要約】【課題】従来の消臭除菌フィルタ−は主がダストを除去する為に一般的使用され、消臭除菌の効力が少なく、合わせて機内の汚染除去には機器の分解等によるところが多く、汚染保守に長い時間を要し、又複雑であった。【解決手段】特殊消臭繊維材又は特殊消臭固形材にコロナ放電によるマイナスイオン、及びオゾンを直接又は間接に多く浴びせる構造とし、酸化分解やイオン交換の増強を促す事ができる。又内部の汚染除去の保守を容易に提供出来る様それぞれカ−トリッジ式とした。【選択図】図１
2011235064.tif 000002
【特許請求の範囲】
【請求項１】
特殊消臭繊維材又は特殊消臭固形材にコロナ放電具よりマイナスイオン及びオゾンが浴びる様に配置した構造を本体とし、単独又は他の機器に付帯で使用出来るカ−トリッジ式構造の消臭除菌フィルタ−である。
【請求項２】
請求項１の中で特殊消臭材及びコロナ放電具を本体より簡単に着脱を可能としたカ−トリッジ式構造。
【発明の詳細な説明】
【技術分野】
【０００１】本発明は高消臭化とメンテナンスの容易化を図った消臭フィルタ−に関するものである
【背景技術】
【０００２】従来の消臭フィルタ−は、コロナ放電現象のみを使用したものや、集塵フィルタ−を施したものがある。【０００３】又、これらを加湿器や集塵機に組み込んだものがある。【０００４】以下図６により従来の集塵機に取り付けた消臭フィルタ−について説明する。
図において９は集塵ィルタ−で、前面は吸気口となり、１０は放電極と対極で、排気口となる、それぞれケ−スに固定されている。
【発明の概要】
【発明が解決しょうとする課題】
【０００５】以上に述べた従来の消臭、除菌フィルタ−では、コロナ放電現象によるマイナスイオンと同時にオゾンが発生し消臭にはマイナスイオンのみによる効果を期待するものであり、効率も低くオゾンは除去されない状況である。
【０００６】また、コロナ放電現象による静電気で付着した汚れで機能劣化の回復には機械全体の分解で汚れを除去しなければならなかった。
【０００７】本発明はこの様な従来の構成が有していた問題を解決しようとするものであり、コロナ放電現象で生ずるマイナスイオン、オゾンを特殊消臭繊維材又は、特殊消臭固形材に、直接、又は間接放射し、消臭繊維材又は消臭固形材の所有する特長を引き出し、オゾンの少ない、消臭、除菌された空気を得る事を目的とするものである。
【０００８】次に汚れによる機能回復行為の為カ−トリッジ化し、部品の入れ替えを可能とした、取り出したカ−トリッジは後日、汚れ等をゆっくり清掃出来ることも目的とするものである。
【課題を解決する為の手段】
【０００９】そして本発明の上記目的を達成する為に高電圧の放電と受電の電極を特殊消臭繊維材又は特殊消臭固形材に対し放電電圧風がより多く流れる様に配置し各々カ−トリッジとしてケ−スに配設したものである。これは第一の問題解決手段。
【００１０】第二の課題解決手段は、加湿器、集塵機、その他機器にとりつけて使用する事と、機器の外部から簡単に抜き出し、保守等を容易に構成したものであり、単独の使用も可能とした。
【００１１】上記第一の課題解決による作用は次の通りである、すなわちコロナ放電現象による高濃度のマイナスイオン及びオゾンを特殊消臭繊維又は、特殊消臭固形物に合理的に放射させる事で、繊維内又は固形物の内でイオン交換現象や酸化分解が行なわれ、除菌され且つ臭いが取り除かれた空気を得る事が出来る。
【００１２】又、第二の課題解決手段による作用は機器から取り出し後遊休時間の活用で機能回復の汚れを除去する事が可能である。
【発明の効果】
【００１３】上述したよう本発明の消臭除菌フィルタ−はコロナ放電現象の特長を十分活用し、特殊消臭繊維材又は特殊消臭固形材の保有している機能を最大限に引き出す効果を発揮出来るものである。
【００１４】実験による効果デ−タを表１に示す。
【表１】
2011235064.tif 000003
【図面の簡単な説明】
【００１５】
【図１】  本発明の実施形態を示す消臭除菌カ−トリッジ式フィルタ−の立体図
【図２】  同フィルタ−の側面図
【図３】  同フィルタ−の上部から見た図
【図４】  カ−トリッジ式コロナ放電用電極と対極
【図５】  従来の消臭フィルタ−
【発明を実施する為の形態】
【００１６】以下本発明の実施形態をず１〜図４に基づいて説明する。
【００１７】図１において、１は本発明の本体、２は特殊消臭繊維材又は特殊消臭固形材、３はコロナ現象の生ずる高電圧の放電極及び対極で数個箱型に構成し、これらは単独使用又は他の機器に装着可能な形態のカ−トリッジ構造とした。
【００１８】又放電極、対極は特殊消臭繊維材の面に可能な限り近くに装着され、着脱出来る構造を有している。
【００１９】この時の放電極は棒状か針状とし、対極は円筒、ハニカム、その他板状に角、円形又はこれに類似した穴に加工した物とした。
【００２０】４、５はマイナスイオン、オゾンが外に流れるのを遮断する蓋で、ネジ当で固定される。
【００２１】図２は側面から見た図
【００２２】図３は上部から見た図
【００２３】図４はカ−トリッジ式コロナ放電具
【００２４】以下上記構成の動作を説明する。
臭気の伴う空気は吸気口イ、ロからコロナ現象で吸い込まれ、この時のマイナスイオン及び、オゾンは特殊消臭繊維材又は、特殊消臭材に浴びせる状態となる。
【００２５】そして特殊消臭繊維材又は特殊消臭固形材を通過する事で、消臭、除菌の機能効果が十二分に発揮され、又オゾンの酸化分解も進み、排出口ハより、消臭除菌された空気が得られる。
【符号の説明】
【００２６】１    本体
２    特殊消臭繊維材又は特殊消臭固形材
３    放電極と対極
４    外気遮断正面蓋
５    外気遮断上蓋
６    カ−トリッジ式コロナ放電具本体
７    放電極
８    対極
９    集塵フィルタ−
１０    放電極と対極
【図１】
2011235064.tif 000004
【図２】
2011235064.tif 000005
【図３】
2011235064.tif 000006
【図４】
2011235064.tif 000007
【図５】
2011235064.tif 000008
【図６】
2011235064.tif 000009
【手続補正書】
【提出日】平成22年7月16日(2010.7.16)
【手続補正１】
【補正対象書類名】明細書
【補正対象項目名】全文
【補正方法】変更
【補正の内容】
【発明の詳細な説明】
【技術分野】
【０００１】本発明は高消臭化とメンテナンスの容易化を図った消臭フィルタ−に関するものである
【背景技術】
【０００２】従来の消臭フィルタ−は、コロナ放電現象のみを使用したものや、集塵フィルタ−を施したものがある。【０００３】又、これらを加湿器や集塵機に組み込んだものがある。【０００４】以下［図５］により従来の集塵機に取り付けた消臭フィルタ−について説明する。
図において８は集麈ィルタ−で、前面は吸気口のイ、６は放電極、７は対極で、排気口のロであり、それぞれケ−スに固定されている。
【発明の概要】
【発明が解決しょうとする課題】
【０００５】以上に述べた従来の消臭、除菌フィルタ−では、コロナ放電現象によるマイナスイオンと同時にオゾンが発生し消臭にはマイナスイオンのみによる効果を期待するものであり、効率も低くオゾンは除去されない状況である。
【０００６】また、コロナ放電現象による静電気で付着した汚れで機能劣化の回復には機械全体の分解で汚れを除去しなければならなかった。
【０００７】本発明はこの様な従来の構成が有していた問題を解決しようとするものであり、コロナ放電現象で生ずるマイナスイオン、オゾンを特殊消臭繊維材又は、特殊消臭固形材に、直接、又は間接放射し、消臭繊維材又は消臭固形材の所有する特長を引き出し、オゾンの少ない、消臭、除菌された空気を得る事を目的とするものである。
【０００８】次に汚れによる機能回復行為の為カ−トリッジ化し、部品の入れ替えを可能とした、取り出したカ−トリッジは後日、汚れ等をゆっくり清掃出来ることも目的とするものである。
【課題を解決する為の手段】
【０００９】そして本発明の上記目的を達成する為に高電圧の放電と受電の電極を特殊消臭繊維材又は特殊消臭固形材に対し放電電圧風がより多く流れる様に配置し各々カ−トリッジとしてケースに配設したものである。これは第一の問題解決手段。
【００１０】第二の課題解決手段は、加湿器、集麈機、その他機器にとりつけて使用する事と、機器の外部から簡単に抜き出し、保守等を容易に構成したものであり、単独の使用も可能とした。
【００１１】上記第一の課題解決による作用は次の通りである、すなわちコロナ放電現象による高濃度のマイナスイオン及びオゾンを特殊消臭繊維又は、特殊消臭固形物に合理的に放射させる事で、繊維内又は固形物の内でイオン交換現象や酸化分解が行なわれ、除菌され且つ臭いが取り除かれた空気を得る事が出来る。
【００１２】又、第二の課題解決手段による作用は機器から取り出し後遊休時間の活用で機能回復の汚れを除去する事が可能である。
【発明の効果】
【００１３】上述したよう本発明の消臭除菌フィルタ−はコロナ放電現象の特長を十分活用し、特殊消臭繊維材又は特殊消臭固形材の保有している機能を最大限に引き出す効果を発揮出来るものである。
【００１４】実験による効果デ−タを表１に示す。
【表１】
2011235064.tif 000010
【図面の簡単な説明】
【００１５】
【図１】本発明の実施形態を示す消臭除菌カ−トリッジ式フィルタ−の立体概略図
【図２】同フィルタ−の側面概略図
【図３】同フィルタ−の上部から見た概略図
【図４】放電極と対極を組み合わせたカ−トリッジ式放電具
【図５】従来の消臭フィルタ−概略図
【図６】対極の金属円筒構造の概略図
【図７】対極のハニカム構造の概略図
【図８】金属板状に角型又は丸型の空間を施した対極
【００１６】以下本発明の実施形態を［図１］〜［図４］に基づいて説明する。【００１７】［図１］において、１は本発明の本体、２は特殊消臭繊維材又は特殊消臭固形材、３はコロナ現象の生ずる高電圧の放電極及び対極で数個箱型に構成し、これらは単独使用又は他の機器に装着可能な形態のカ−トリッジ構造とした。【００１８】又［図４］の放電極、対極は特殊消臭繊維材の面に可能な限り近くに装着され、着脱が容易に出来るカ−トリッジ式構造を有している。【００１９】この時の放電極は金属性の棒状か針状とし、対極は金属性の円筒［図６］、ハニカム状［図７］、その他金属性板状に角［図８］、円形又はこれに類似した穴に加工した物とした。【００２０】４、５はマイナスイオン、オゾンが外に流れるのを遮断する蓋で、ネジ当で固定される。【００２１】［図２］は側面から見た概略図【００２２】［図３］は上部から見た概略図【００２３】［図４］は本体への着脱を容易可能とした放電極、対極を組み合わせたカ−トリッジ式コロナ放電具【００２４】以下上記構成の動作を説明する。
電極間に電圧を印加するとコロナ現象が発生し、これに伴い、臭気を含む汚染された空気は吸気口のイ、ロから吸い込まれ電極間でラジカルに反応分解される。
しかし未分解の物質、及び放電によって生ずるオゾンは特殊消臭繊維材又は、特殊消臭材に浴びせ、消臭機能を補う構造である。【００２５】そして特殊消臭繊維材又は特殊消臭固形材を通過処理する事で、消臭、除菌の除去機能効果が十二分に発揮され、又オゾンの酸化分解も進み、排出口のロより、無臭、無害の空気が得られる。【００２６】１    本体
２    特殊消臭繊維材又は特殊消臭固形材
３    放電極と対極を組み合わせたカ−トリッジ式放電具
４    外気遮断正面蓋
５    外気遮断上蓋
６    放電極
７    対極
８    集麈フィルタ−
イ    吸気口
ロ    俳気口
【手続補正２】
【補正対象書類名】図面
【補正対象項目名】全図
【補正方法】変更
【補正の内容】
【図１】
2011235064.tif 000011
【図２】
2011235064.tif 000012
【図３】
2011235064.tif 000013
【図４】
2011235064.tif 000014
【図５】
2011235064.tif 000015
【図６】
2011235064.tif 000016
【図７】
2011235064.tif 000017
【図８】
2011235064.tif 000018